(57)【要約】      （修正有）【課題】目やコンタクトレンズに触れずに、簡単に眼球上のコンタクトレンズを取り外すことが可能なコンタクトレンズ取り外し器具を提供する。【解決手段】コンタクトレンズ取り外し器具は、カップ底１１がカップ口１３方向に徐々に広がる形状を成す軟質カップ体１を備え、前記カップ口の形状がヒトの目縁の外形に符合し、カップ底には半球形突出体１１１を設け、カップ口には外側方向に側面エッジ１３１を延伸させる。コンタクトレンズ取り外し器具を使い、軟質カップ体内に適量の生理食塩水を注入した後、前記側面エッジで下瞼を軽く押して翻して、カップ口をヒトの目縁に被覆密着させ、頭を上げてから、繰り返し軟質カップ体を圧したり緩めたりすると、コンタクトレンズは眼球上から吸い出すことが可能となる。【選択図】図２
0003157221.tif 000002
【実用新案登録請求の範囲】
【請求項１】
軟質カップ体を備え、カップ底がカップ口方向に徐々に広がる形状を成し、且つカップ口の形状がヒトの目縁の外形に符合している故、軟質カップ体はヒトの目縁を完全に被覆密着し、また、軟質カップ体のカップ底には半球形突出体を設け、カップ口には外側方向に側面エッジを延伸させることを特徴とするコンタクトレンズ取り外し器具。
【請求項２】
前記軟質カップ体は軟性プラスチック製であることを特徴とする請求項１記載のコンタクトレンズ取り外し器具。
【請求項３】
前記軟質カップ体のカップボディ外側には複数の滑り止め粒体を備えることを特徴とする請求項２記載のコンタクトレンズ取り外し器具。
【請求項４】
前記側面エッジにはソフトラバー吸盤を被嵌することを特徴とする請求項３記載のコンタクトレンズ取り外し器具。
【考案の詳細な説明】
【技術分野】
【０００１】
本発明はコンタクトレンズ取り外し器具に係り、特に、コンタクトレンズに接触せずに眼球上の子を取り外すことができるコンタクトレンズ取り外し器具に関する。
【背景技術】
【０００２】
一般のコンタクトレンズは、ハードコンタクトレンズとソフトコンタクトレンズの二種類に分類され、ハードまたはソフトの選択は使用者の要望に応じて決定される。目は霊魂の窓と言われ、使用者がハードまたはソフトの何れを装着するにも、先ずはコンタクトレンズの清潔が重要である。コンタクトレンズの清潔に慎重でないなら、異物の眼球進入または細菌感染によって目は病変を生じ、酸素透過率の低下によって角膜の血管を増加する故、回復不可能な傷害を引き起こす可能性もある。
【０００３】
コンタクトレンズの汚染の原因は、空気や目の分泌物による他、使用者の指による場合がある。使用上の便利性を考えて、多くの人はソフトコンタクトレンズを使用しているが、使い捨てコンタクトレンズもまたソフトコンタクトレンズに属する。使用者はソフトコンタクトレンズを取り外す場合、通常、手を洗い乾かした後に、親指と人差し指でコンタクトレンズをつまんで眼球上から直接取り外す。しかし、一部の使用者は、急を要したり外出中で指を洗浄する場所が見つからない場合、洗わずにコンタクトレンズを眼球上から直接取り外すこともある。この場合、コンタクトレンズ及び眼球上に細菌や不浄物が付着するのが原因で目に感染を引き起こすこともある。また、一部の使用者は指の美観のために、爪を長く伸ばしたり爪の上にスカルプチュアネイルを装着しており、この手でコンタクトレンズを取り外す場合、長い爪によって角膜が傷つけられたりコンタクトレンズを引っ掻いてしまうこともある。コンタクトレンズの破片が角膜に残留した場合、使用者の角膜の不適応を引き起こし、ひどい場合は、視力に影響を及ぼすことがある。よって、指で直接眼球上のコンタクトレンズを取り外す方式は、目の保健から見れば、非常にリスクを伴うものとなる。
【０００４】
前述した指で直接眼球上のコンタクトレンズを取り外すリスクに鑑み、本考案者は、使用者が目やコンタクトレンズに触れずに、即刻、簡単に眼球上のコンタクトレンズを取り外せ、目の傷害を回避できるコンタクトレンズ取り外し器具を如何に研究開発するかを、長時間をかけて研究と試験を積み重ね探求した。
【考案の概要】
【考案が解決しようとする課題】
【０００５】
公知のコンタクトレンズの取り外し方式は、指でコンタクトレンズをつまんで眼球上から直接取り外すものであり、本考案の目的は、公知のコンタクトレンズ取り外し方式によって引き起こされる目の傷害問題を解決することにある。
【課題を解決するための手段】
【０００６】
上述の目的を達成するため、本考案は、次のコンタクトレンズ取り外し器具を提供する。それは軟質カップ体を備え、カップ底がカップ口方向に徐々に広がる形状を成し、且つカップ口の形状がヒトの目縁の外形に符合している故、軟質カップ体はヒトの目縁を完全に被覆密着する。また、軟質カップ体のカップ底には半球形突出体を設け、カップ口には外側方向に側面エッジを延伸させる。
【考案の効果】
【０００７】
本考案のコンタクトレンズ取り外し器具を使うことにより、使用者は、目やコンタクトレンズに触れずに、簡単に眼球上のコンタクトレンズを取り外すことが可能となる。
【図面の簡単な説明】
【０００８】
【図１】公知のコンタクトレンズ取り外し方式図である。
【図２】本考案の立体図である。
【図３】本考案の断面図である。
【図４】本考案の使用図（１）である。
【図５】本考案の使用図（２）である。
【図６】本考案の使用図（３）である。
【考案を実施するための形態】
【０００９】
図１に示した公知のコンタクトレンズ２の取り外し方式は、指でコンタクトレンズ２をつまんで眼球上から直接取り外す方式であり、図２乃至図６には、本考案のコンタクトレンズ取り外し器具を示す。
本考案のコンタクトレンズ取り外し器具は、軟性プラスチック製の軟質カップ体１を備え、カップ底１１がカップ口１３方向に徐々に広がる形状を成し、且つカップ口１３がヒトの目縁の外形に符合する形状を成して人体工学にマッチしている故、軟質カップ体１はヒトの目縁を完全に被覆密着する。また、前記軟質カップ体１のカップ底１１には半球形突出体１１１を設け、カップボディ１２外側には複数の滑り止め粒体１２１及び目盛り１２２を備え、カップ口１３には外側方向に側面エッジ１３１を延伸させ、しかも側面エッジ１３１にはソフトラバー吸盤１３２を被嵌することも可能である。
【００１０】
前記コンタクトレンズ取り外し器具を使うことにより、使用者はカップボディ１２外側の目盛り１２２を観察し、各使用者の要望に応じて、適量の生理食塩水を前記軟質カップ体１内に注いだ後、指で滑り止め粒体１２１箇所をつまみ、軟質カップ体１を目頭及び目尻位置に合わせて前記側面エッジ１３１で下瞼を軽く押して翻す。続いて、軟質カップ体１のカップ口１３を目縁に被覆させ、完全に密着させる。前記軟質カップ体１３１及びソフトラバー吸盤１３２は何れも弾性を有しており、前記軟質カップ体１と目縁を密着させると同時に、軟質カップ体１と目縁間の空気は外界に排出され、これにより、軟質カップ体１及び目縁間の圧力が外界の圧力を下回る故、軟質カップ体１は目縁に緊密に吸着する。その後、瞼部を上に向けると、生理食塩水が眼球に約２から５秒間充満し、指で軽く軟質カップ体１を押して圧すると、軟質カップ体１と目縁間の容積が圧縮され、続いて、指の圧力を緩めると、軟質カップ体１は原状に戻る。このようにして、軟質カップ体１を数回圧したり緩めたりしながら、瞬きや眼球を動かす動作を行うと、軟質カップ体１内部に生じる圧力変化によって、コンタクトレンズ２は眼球上から外れ落ちる。瞼部を下に向け、軟質カップ体１を外し、コンタクトレンズ２が半球形突出体１１１上に落ちた後、コンタクトレンズ２を軟質カップ体１内から取り出す。
【００１１】
前述した通り、滑り止め粒体１２１は、指とカップボディ１２間の摩擦力を強化して使用者が軟質カップ体１を持つ時に滑り難くくするもので、側面エッジ１３１は、軟質カップ体１のカップ口１３の角を修飾し、目縁に密着させた時に目縁を傷つけるのを防ぐ働きをし、ソフトラバー吸盤１３２の設置によって側面エッジ１３１は補強され、それが弾性特性を有するため、カップ口１３が目縁に密着する時の快適度を高める他、更に軟質カップ体１内側の空気のカップ外への排出を強化する効果を持ち、これにより、軟質カップ体１は更に安定した目縁への吸着が可能となる。また、下瞼を翻すことにより、眼球と生理食塩水の接触面積が増加し、湿りのある眼球がコンタクトレンズ２と角膜間の摩擦力減少を助け、軟質カップ体１内部の圧力差および瞬きと眼球を動かす動作によって、簡単にコンタクトレンズ２を角膜から離脱させられ、よって、使用者は目やコンタクトレンズ２に触れずに、眼球上のコンタクトレンズ２を取り外す事ができ、指による目の傷害または細菌感染を防ぎ、安全で衛生的である。尚、コンタクトレンズ２の離脱後は、カップ底１１の半球形突出体１１１上に落ち、半球形突出体１１１の弧度とコンタクトレンズ２の弧度が符合する故、使用者は簡単にコンタクトレンズ２を軟質カップ体１内から取り出すことができる。
【符号の説明】
【００１２】
１      軟質カップ体
１１    カップ底
１１１  半球形突出体
１２    カップボディ
１２１  滑り止め粒体
１３    カップ口
１３１  側面エッジ
１３２  ソフトラバー吸盤
２      コンタクトレンズ
【図１】
0003157221.tif 000003
【図２】
0003157221.tif 000004
【図３】
0003157221.tif 000005
【図４】
0003157221.tif 000006
【図５】
0003157221.tif 000007
【図６】
0003157221.tif 000008